(57)【要約】      （修正有）【課題】深い液面を有するドラム缶に入った切削油等の液面を検出し、殆ど切削油の残液がない状態を検出できる構造簡単な液面計、および、この液面計を原液側のドラム缶に備えた完全自動の希釈装置を提供する。【解決手段】液面計１の底部にフロート３に作用する浮力より重い錘５を設ける。錘はドラム缶２の底に液面計を定着させる。リード線７は垂直に伸びて、ドラム缶の蓋に固定手段８でクランプされ、信号を取り出す。液面９がフロート３よりも上にある場合には、フロートがストッパー６で止まる位置まで浮き、リードスイッチ４はＯＦＦであり、ドラム缶内の原液が消費されるに従い、液面が下がり、残液のない液面９’の位置で、リードスイッチがＯＮとなるように液面計を構成する。 従来の希釈装置の原液側ドラム缶にこの液面計を付加することで完全自動の希釈装置が可能となる。【選択図】図１
0003211849.tif 000002
【実用新案登録請求の範囲】
【請求項１】
液面計１の底部にフロート３に作用する浮力より重い錘５を設ける。液面９がフロート３よりも上にある場合には、フロート３に作用する浮力でストッパー６で止まる位置まで浮き、リードスイッチ４はＯＦＦとなる。液面９が下がり、フロート３が該錘５の底よりも等しいかもしくは、更に、降下した位置で、リードスイッチ４がＯＮとなる液面計を提供する。
【請求項２】
請求項１の液面計を原液側のドラム缶等に具備した完全自動希釈装置。
【考案の詳細な説明】
【技術分野】
【０００１】
本考案は、主液のエジェクター効果により原液を吸い上げて水と混合するもので、混合液を加工機の付属タンクへ放出し、該混合液の補充を自動的に行う希釈装置に関するものである。
【背景技術】
【０００２】
現在、実際に使われている希釈装置は、原液である切削油と水を所定の濃度で混合し、希釈するクーラント希釈液装置が一般的であり、作業者がこの種の希釈装置を手に持って、目視で加工機に付属したタンクに補充している場合が多い。
或いは、前記タンク側の混合液の液面のみを検出して、タンクの水位が低下すると電磁弁を開き、希釈装置で所定の濃度の混合液をタンクに供給し、液面が上昇して、タンクが混合液で満たされると電磁弁を閉じるという自動補給装置もある。
【０００３】
クーラント液とは、水と切削油の混合液であり、金属を加工する際に、バイト、刃具、カッターに拭きつけ、切削速度を上げ、冷却と精度を維持するためのものであるが、水分が蒸発して、混合液が減るため、比較的濃度の低いクーラント液で補充する必要がある。
しかしながら、手持ちの希釈装置で人が補充する場合には、うっかりして、前記タンクから混合液をオーバフローさせてしまうことがある。また、前記のような自動補給装置では原液側のドラム缶やピエール缶が空になり、水だけが放出され、タンク内の混合液の濃度が極端に下がり、加工に支障をきたすことがあった。
【０００４】
実際には、原液側である切削油の液面検出は全くされていないのが実情である。なぜかというと、切削油のタンクであるドラム缶等は液面が深く検出するのが困難であり、ストロークが長い分液面計は価格が高くなり、そして、底の部分までの液面の検出が困難でどうしても残液が出るからである。
【先行技術文献】
【特許文献】
【０００５】
【特許文献１】特開２０１４−００９６７０
【特許文献２】特開２０１４−１００６８６
【特許文献３】特開２０１２−１０６７８７
【考案の概要】
【考案が解決しようとする課題】
【０００６】
深い液面を有するドラム缶に入った切削油等の液面を検出し、尚且つ、殆ど切削油の残液がない状態を検出し、更に、構造簡単な液面計を提供することで、原液側の液面検出を備えた完全自動の希釈装置が可能となる。
【課題を解決するための手段】
【０００７】
上記課題を達成するために、液面計１の底部にフロート３に作用する浮力より重い錘５を設ける。該錘５の重みで垂直の姿勢を保つとともに、ドラム缶２の底に液面計１を定着させる。リード線７は垂直に伸びて、弛みが無いように、ドラム缶２の蓋に固定手段８でクランプされ、信号を取り出す役目を果たす。ドラム缶内の原液が充分あり、液面９がフロート３よりも上にある場合には、フロート３が浮力でストッパー６で止まる位置まで浮き、リードスイッチ４はＯＦＦとなる。ドラム缶内の原液が消費されるに従い、液面９が下がり、フロート３が該錘５の底よりも更に、降下して液面が９’の位置で、リードスイッチ４がＯＮとなる液面計を提供する。
希釈装置、濃度設定器、２個の電磁弁、および、制御盤に混合液側の液面計に新たに、原液側の液面計を付加するシステムとすることで完全な自動希釈装置を構成する。
【考案の効果】
【０００８】
構造が簡単な液面計を混合液タンクと原液側ドラム缶等に設置することで不本意に混合液が、タンクからオーバフローすることがなく、そして、原液が無くなった場合に水の供給を速やかにストップできる安価な完全自動希釈装置が提供できる。
また、本液面計を用いることでドラム缶の原液の残存が少なくなり経済的である。また、ドラム缶内の原液が空になると、その信号で加工機に付属したタンクへの混合液の補給が停止するため、水だけの放出とならず、混合液濃度を維持することが可能となる。
原液側のタンクがドラム缶より、更に、深いタンクであっても、リード線を延ばすだけで液面を検出できるので安価に製作可能である。
【図面の簡単な説明】
【０００９】
【図１】図１は本考案の液面計を示したものでその動作を説明したものである。
【図２】図２は該液面計を用いた完全自動希釈装置の実施例を示したものである。。
【図３】図３は本考案の液面計の信号を受ける制御回路を示したものである。
【考案を実施するための形態】
【００１０】
構造簡単で安価な液面計を具備したクーラント液の完全自動希釈装置を提供する。
【実施例１】
【００１１】
図１は本考案の液面計を示したものでその動作を説明したものである。液面計１の底部にフロート３に作用する浮力より重い錘５を設ける。該錘５の重みで垂直の姿勢を保つとともに、ドラム缶２の底２aに液面計１を定着させる。リード線７は垂直に伸びて、弛みが無いように、ドラム缶２の蓋に固定手段８でクランプされ、信号を取り出す。ドラム缶内の原液が充分あり、液面９がフロート３よりも上にある場合には、フロート３が浮力でストッパー６で止まる位置まで浮き、リードスイッチ４はＯＦＦとなる。ドラム缶内の原液が消費されるに従い、液面９が下がり、フロート３が該錘５の底よりも更に、降下して液面が９’の位置で、リードスイッチ４がＯＮとなる液面計を構成している。
【００１２】
図２は該液面計を用いた完全自動希釈装置の実施例を示したものである。濃度設定器１８を有する希釈装置１７の入り口には電磁弁１６が配置され、水供給１９の開閉を制御盤２０の指令で行う。該希釈装置の出口は長いホース１４で混合液のタンク１３に適時、濃度設定器１８で設定された濃度で生成された混合液を供給する構成となっている。液面計１０は液面が所定値以下になるとONの信号を出し、液面が所定値以上になるとONの信号を出し、混合液の補給と切断を繰返す役目を果たす。一方、該希釈装置１７は電磁弁１５を介して適時、原液11をホース１２から吸い上げた原液を希釈装置内１７で水と所定の濃度で混合せしめる構成となっている。原液側１１に配置された本考案の液面計１は、液面高さがほぼ、ゼロになった時にONの信号を発するものである。つまり、原液がなくなった場合に全ての電磁弁を閉じて、混合液の生成を中断する役目を果たす。
【００１３】
図３は本考案の液面計の信号を受ける制御回路を示したものである。加工機タンク１３に配置された液面計１０は液面が低下すると下側のフロートが下がり、リードスイッチがONとなる。この信号でリレーM1が作動保持され、水側と原液側の電磁弁の両方が開き、混合液が前記タンク１３に供給される。液面が上がると今度は、上のフロートが上がり、リードスイッチがONとなり、リレーM2が作動し、リレーM1が解除され、前記２個の電磁弁が閉じ、混合液の供給が停止する。この動作を繰り返し、混合液の自動補充が達っせられる。一方、ドラム缶内の原液は減少し続けるが、液面がドラム缶の底に至ると本考案の液面計１のフロートがドラム缶の底に付き、リードスイッチが入り、ON信号を発する。リレーM2が作動し、リレーM1が解除され、２個の電磁弁が強制的に閉じられる構成となっている。
【産業上の利用可能性】
【００１４】
構造簡単で安価な液面計を具備した完全自動希釈装置を提供する。また、ドラム缶のように深いタンクの液が空になったことを警告するセンサーとしても利用することが可能である。
【符号の説明】
【００１５】
１  液面計        
２  ドラム缶      
３  フロート      
４  リードスイッチ
５  錘           
６  ストッパー   
７  リード線     
８  固定手段     
９  液面         
【図１】
0003211849.tif 000003
【図２】
0003211849.tif 000004
【図３】
0003211849.tif 000005
【手続補正書】
【提出日】平成29年6月7日(2017.6.7)
【手続補正１】
【補正対象書類名】実用新案登録請求の範囲
【補正対象項目名】請求項１
【補正方法】変更
【補正の内容】
【請求項１】
液面計１の底部にフロート３に作用する浮力より重い錘５を設け、液面９がフロート３よりも上にある場合には、フロート３に作用する浮力によりストッパー６で止まる位置まで浮き、リードスイッチ４はOFFとなるとともに、液面９が下がり、フロート３が前記錘５の底よりも等しいかもしくは、更に、降下した位置で、リードスイッチ４がONとなることを特徴とする液面計。
【手続補正２】
【補正対象書類名】実用新案登録請求の範囲
【補正対象項目名】請求項２
【補正方法】変更
【補正の内容】
【請求項２】
請求項１の液面計を原液側のドラム缶に具備した完全自動希釈装置。